(57)【特許請求の範囲】
【請求項１】
台木と穂木を用いた接木苗において、
台木と穂木の間に、台木の維管束又は／及び穂木の維管束よりも細い維管束を備えた中台木が接合された、
ことを特徴とする接木苗。
【請求項２】
請求項１記載の接木苗において、
中台木が、台木が備えない耐病性又は抵抗性を備えた苗から採取されたものである、
ことを特徴とする接木苗。
【請求項３】
請求項１記載の接木苗において、
中台木が、台木に比して土壌病害に対する耐病性が強い苗から採取されたものである、
ことを特徴とする接木苗。
【請求項４】
請求項１から請求項３のいずれか１項に記載の接木苗において、
台木及び穂木がトマトの苗から採取されたものであり、中台木がナスの苗から採取されたものである、
ことを特徴とする接木苗。
【請求項５】
台木と穂木を用いて接木苗を生産する方法において、
前記台木に、当該台木の維管束又は／及び穂木の維管束よりも細い維管束を備えた中台木を接合し、
前記中台木に前記穂木を接合して接木苗を生産する、
ことを特徴とする接木苗生産方法。
【請求項６】
請求項５記載の接木苗生産方法において、
台木、穂木及び中台木をプラグトレイで生育した苗から採取する、
ことを特徴とする接木苗生産方法。
【請求項７】
請求項５又は請求項６記載の接木苗生産方法において、
穂木を、花芽分化前であって本葉が１．５枚以下の苗を子葉の下で切断して採取する
ことを特徴とする接木苗生産方法。
【請求項８】
請求項５から請求項７のいずれか１項に記載の接木苗生産方法において、
中台木として、台木が備えない耐病性又は抵抗性を備えた苗から採取したものを用いる、
ことを特徴とする接木苗生産方法。
【請求項９】
請求項５から請求項７のいずれか１項に記載の接木苗生産方法において、
中台木として、台木に比して土壌病害に対する耐病性が強い苗から採取されたものを用いる、
ことを特徴とする接木苗生産方法。
【発明の詳細な説明】
【技術分野】
【０００１】
本発明は、野菜苗や花苗等の接木苗と接木苗の生産方法に関する。
【背景技術】
【０００２】
近年、農業界では、農家が育苗業者から野菜苗や花苗等の苗を購入し、野菜や花卉の生産を行うのが主流となっている。育苗に際しては、収量の増加や耐病性の強化を目的として接木が行われる（特許文献１）。接木はプラグトレイやポットに収容された状態で販売される。プラグトレイは一つのトレイに細長の縦穴が多数形成されたものであり、細長縦穴の数によって規格化されている。例えば、縦穴の数が７２穴、１２８穴、２００穴、２８８穴、４０６穴、５１２穴のものなどがある。ポットは苗木を一本ずつ生育するためのポリ容器であり、例えば、直径７．５ｃｍ、９ｃｍ、１０．５ｃｍ、１３．５ｃｍ、１５ｃｍのものなどがある。
【０００３】
苗木を購入した農家は、購入した接木苗を圃場に定植して野菜や花卉を生産する。定植の方法は大きく二つに分類することができる。一つはポットで生育された接木苗（本願において「ポット苗」という）を購入し、そのまま圃場に定植する方法であり、他の一つはプラグトレイで生育された接木苗（本願において、「プラグ苗」という）を購入し、そのプラグ苗をポットに移植して二次生育（二次育苗）を行い、所望サイズまで生育したところで圃場に定植する方法である。
【先行技術文献】
【特許文献】
【０００４】
【特許文献１】特許第３６６６８４９号公報
【発明の概要】
【発明が解決しようとする課題】
【０００５】
前者の方法は定植可能な状態まで生育した苗を用いるため、育苗に手間がかからないというメリットがあるが、購入するまで苗質がわからないというデメリットがある。購入した接木苗が徒長苗や老化苗であった場合には、購入者（生産農家）の希望する苗木にするのは困難であり、かえって時間や労力がかかって、出費がかさむこともある。また、ポット苗はプラグ苗よりも長期間生育しているため、重量もプラグ苗よりも重く、圃場に運んで定植するのは重労働である。
【０００６】
他方、後者の方法は二次育苗によって購入者（生産農家）の好みに合わせた育苗が可能であるというメリットがあるが、圃場への定植前にプラグ苗をポットに移植して生育させる必要があるなど、ポット苗と比較して手間も労力もかかるというデメリットがある。また、圃場条件にもよるが、プラグトレイから取り出した幼苗をそのまま定植したのでは、草勢が強く、苗木に実が付かなかったり、奇形になったりする可能性がある。圃場の水分の管理も困難であるため、ポットへの移植及びポットでの二次育苗は不可欠である。
【０００７】
また、圃場への定植後には、土壌病害に罹患する可能性があるため、可能な限り土壌病害に強い接木苗やその栽培方法の提案が望まれている。土壌病害の原因は、ウイルスや細菌、糸状菌など多岐にわたり、その病状も、青枯れ病や萎凋病、半身萎凋病、つる割病、立枯病、根腐病、黄化病など様々である。
【０００８】
本発明は前記課題に鑑みてなされたものであり、その目的は、プラグ苗と同等のサイズでありながら、ポットでの二次育苗が不要であり、プラグ苗サイズのまま圃場に定植することができ、従来の接木苗よりも土壌病害に強い接木苗と当該接木苗の生産方法を提供することにある。
【課題を解決するための手段】
【０００９】
［接木苗］
本発明の接木苗は台木と穂木を用いた接木苗であって、台木と穂木の間に、台木の維管束又は／及び穂木の維管束よりも細い維管束を備えた中台木が接合されたものである。
【００１０】
前記接木苗は、中台木として、台木が耐病性又は抵抗性を有しない土壌病害に対する耐病性又は抵抗性を有する苗（台木が備えない耐病性又は抵抗性を備えた苗）から採取されたものが接合されたものとすることもできる。ここでいう「耐病性」とは、土壌病害に罹患する可能性はあるもののその程度が軽い性質のことを、「抵抗性」とは、土壌病害に罹患しない性質のことをいう。ただし、「抵抗性」という場合であっても、１００％罹患しないというのではなく、極めて罹患し難い場合も「抵抗性」を有するものとする。
【００１１】
前記接木苗は、中台木として、台木に比して土壌病害に対する耐病性が強い苗から採取されたものが接合されたものとすることもできる。前記接木苗は、台木及び穂木がトマトの苗から採取されたものであり、中台木がナスの苗から採取されたものとすることができる。
【００１２】
［接木苗生産方法］
本発明の接木苗生産方法は接木苗を生産する方法であって、台木に、当該台木の維管束又は／及び穂木の維管束よりも細い維管束を備えた中台木を接合し、当該中台木に前記穂木を接合して接木苗を生産する方法である。
【００１３】
前記接木苗生産方法において、台木、穂木及び中台木はプラグトレイで生育した苗から採取することができる。
【００１４】
前記接木苗生産方法において、穂木又は／及び中台木は、花芽分化前であって本葉が１．５枚以下の苗を子葉の下で切断して採取することができる。
【００１５】
前記接木苗生産方法において、中台木として、台木が耐病性又は抵抗性を有しない土壌病害に対する耐病性又は抵抗性を有する苗（台木が備えない耐病性又は抵抗性を備えた苗）から採取したものを用いることもできる。例えば、台木を、土壌病害Ａ、Ｂに対して「抵抗性あり」、土壌病害Ｃに対して「耐病性あり」、土壌病害Ｄに対して「抵抗性及び耐病性なし」の苗から採取した場合、中台木を土壌病害Ｄに対して「抵抗性又は耐病性あり」の苗から採取するような場合等がこれにあたる。
【００１６】
前記接木苗生産方法において、中台木として、台木に比して土壌病害に対する耐病性が強い苗から採取したものを用いることもできる。例えば、ある品種Ｘが他の品種Ｙよりも、土壌病害Ａに対して耐病性が強いことが知られている場合、品種Ｘから採取した台木に、品種Ｙから採取した中台木を接合すること場合等がこれにあたる。耐病性の強弱は、台木と中台木を比較した場合に、相対的に強弱を認識できればよい。耐病性の強弱は、例えば、当業者の共通認識や公知事実を基準にすることができるのはもとより、将来的に、新たに耐病性の強弱が実証された場合には、当該実証された事実を基準とすることもできる。
【発明の効果】
【００１７】
本発明の接木苗及び接木苗生産方法は、次の効果を奏する。
（１）台木と穂木の間に、台木の維管束又は／及び穂木の移管束よりも細い維管束を備えた中台木が接合されているため、台木側から穂木側に供給される水分や養分の量が、台木側から穂木側に直接供給される場合に比べて少なく、穂木側の生育を抑制することができる。これにより、プラグトレイでの長期間の育苗が可能となり、プラグ苗と同等のサイズでありながら、そのまま圃場に定植することができる接木苗を得ることができる。
（２）定植前にプラグトレイからポットへ移植する必要がないため、二次育苗が必要な従来の方法に比べて作業が楽である。
（３）中台木の特性によっては、台木と穂木のみが接合された接木苗よりも、青枯れ病などの病気に強い（耐病性の強い）接木苗を得ることができる。例えば、ある品種の苗が、台木が抵抗性や耐病性を有しない土壌病害に対して抵抗性や耐病性を有する場合、当該抵抗性や耐病性を有する品種の苗から中台木から採取して接合することで、台木と穂木を接合しただけの従来の接木苗よりも土壌病害に罹患し難い接木苗を生産することができる。
【図面の簡単な説明】
【００１８】
【図１】本発明の接木苗の一例を示す斜視図。
【図２】本発明の接木苗生産方法の一例を示す生産工程説明図。
【図３】接木クリップの一例を示す斜視図。
【発明を実施するための形態】
【００１９】
（接木苗の実施形態）
本発明の接木苗１の一例を、図１を参照して説明する。この接木苗１は、台木２と穂木３を用いた接木苗１であって、台木２と穂木３の間に、台木２の維管束又は／及び穂木３の維管束よりも細い維管束を備えた中台木４が接合されたものである。この実施形態では、台木２及び穂木３にトマトの苗を、中台木４にナスの苗を用いたナス科の接木苗１を一例としているが、台木２や穂木３、中台木４の苗にはこれら以外の苗を用いることもできる。例えば、ナス科の作物であればトマス、ナス、ピーマン等の苗を用いることができる。より具体的には、（１）トマト苗（台木２）とトマト苗（中台木４）の組み合わせ、（２）トマト苗（台木２）とナス苗（中台木４）の組み合わせ、（３）トマト苗（台木２）とピーマン苗（中台木４）の組み合わせなどとすることができる。前記（１）はトマト苗同士の組み合わせであるが、両者は維管束の太さが異なるもの（異品種のもの）である。台木２や穂木３、中台木４の苗は、購入者の要望に応じて決定することもできる。
【００２０】
図１に示す例では、台木２と穂木３の間に中台木４が一本接合された場合を一例として説明しているが、本発明の接木苗１は、台木２と穂木３の間に中台木４が二本以上接合されたものであってもよい。この場合、二本以上の中台木４の種類は同じものでも異なるものでもよく、その長さは同じ長さでも異なる長さでもよい。中台木４を二本以上設ける場合、すべての中台木４の維管束が、台木２の維管束又は／及び穂木の維管束より細い必要はなく、いずれか一の中台木４の維管束が台木２の維管束又は／及び穂木３の維管束より細ければよい。
【００２１】
中台木４は、台木２が耐病性又は抵抗性を有しない土壌病害に対する耐病性又は抵抗性を有する苗（台木が備えない耐病性又は抵抗性を備えた苗）から採取されたものを用いることもできる。このように、中台木４として、台木２が耐病性や抵抗性を有しない土壌病害に対して抵抗性や耐病性を有する品種の苗を用いることで、台木２と穂木３を接合しただけのものよりも土壌病害に罹患し難くなる。
【００２２】
なお、台木２と中台木４は、互いに補完し合える関係であればよく、中台木４が台木２よりも多くの土壌病害に強い苗である必要はない。例えば、台木２は土壌病害Ａ、Ｂ及びＣに対して抵抗性を有するが、土壌病害Ｄに対しては抵抗性も耐病性も有しない場合、中台木４が土壌病害Ｄに対して抵抗性又は耐病性を有していれば、台木２を補完することができるため、それ以外の土壌病害Ａ、Ｂ及びＣに対して抵抗性も耐病性も有しなくてもよい。
【００２３】
（接木苗生産方法の実施形態）
本発明の接木苗生産方法の一例を、図２を参照して説明する。ここでは、台木２及び穂木３としてトマトの苗を、中台木４としてナスの苗を用いる場合を一例として説明する。本発明の接木苗生産方法で使用するプラグトレイＴは、２００穴のものや２８８穴のものなど各種穴数のものを用いることができる。
（１）台木、穂木及び穂木の準備
接木日から逆算して１０日〜２３日前に台木２及び中台木４用の種を、１０日〜１９日前に穂木３用の種を別々のプラグトレイＴに蒔き、バーミキュライトで均一に覆土して発芽に必要な水分を灌水機で与える。プラグトレイＴは発芽に適した温度（２０℃〜３５℃）に設定された発芽器に入れて催芽し、発芽の確認後、プラグトレイＴをベンチに移動して育苗を行う。
（２）台木と中台木の接合
台木２となる苗に子葉２ａと第一本葉２ｂが出てきた頃（花芽分化前）に台木２用の苗の子葉２ａの下を斜めに切断し、切断箇所の下方側（根の付いた方）を台木２として採取する。同様に、中台木４となる苗に子葉４ａと第一本葉４ｂが出てきた頃（花芽分化前）に中台木４用の苗の子葉４ａの下の二箇所を切断して中台木４を採取する。採取した台木２の切断面に中台木４の下側の切断面を接合させ、当該接合部分を接合クリップ５で保持する。
（３）中台木と穂木の接合
穂木３となる苗に子葉３ａと第一本葉３ｂが出てきた頃（花芽分化前）に穂木３用の苗の子葉３ａの下を斜めに切断し、上方側（子葉３ａが生えている方）を穂木３として採取する。採取した穂木３を台木２に接合された中台木４の上側の切断面に接合させ、当該接合部分を接合クリップ５で保持する。
（４）接木苗の養生及び生育
前記（２）（３）によって接合された接木苗１を、室温２０℃〜３０℃、湿度９５％以上、直射日光照度２万ルクス以下に抑えた養生室に５日間置き、室温２０℃〜３０℃に保たれた温室にて１４日間育苗して生産農家へ出荷する。
【００２４】
前記接木作業は、夫々の苗の茎の太さ（直径）が０．１ｍｍ〜１０ｍｍ程度のときに行うのが好ましい。別の言い方をすれば、花芽分化前で本葉が１．５枚以下のときに行うのが好ましい。このようなタイミングで切断した苗を利用して接木を行う場合、苗の花芽組織が破壊されないため、収穫量の向上が期待できる。
【００２５】
前記接木作業において、台木２と中台木４の接合や中台木４と穂木３の接合には、図３に示すような接合クリップ５を用いることができる。この接合クリップ５は、透明な樹脂により成型されており、二枚の板部６がＶ字状に成型され、その外側角部と内側角部に丸穴状の縦溝７が成型されており、二枚の板部６を指でつまんで互いに接近させると縦溝７が広がり、二枚の板部６の接近を解除して元に戻すと縦溝７も元に戻って丸穴の径が縮まるようにしてある。縦溝７を広げたときに縦溝７内に台木２と中台木４の接合部分や中台木４と穂木３の接合部分を挟み、縦溝７が元に戻ることにより接合部分を挟着保持する。接合クリップ５の寸法としては板部６の幅７ｍｍ前後、高さ１０ｍｍ前後が適する。寸法は一例であり、これら以外の寸法としても良い。樹脂も透明でなくともよい。例えば半透明なものとか、不透明なものも良い。透明であれば、その内側の苗の接合状態（接木の状態）をその外部から透視して確認することができるため便利である。接木には、これ以外の接木クリップを用いることもできる。
【００２６】
前記（１）〜（４）における日数（播種までの日数や養生日数）、温度、湿度、照度等の各種条件は一例であり、前記以外の条件とすることもできる。また、前記条件は、使用する台木２や穂木３、中台木４の種類に応じて適宜変更することができる。図２に示す例では、中台木４を台木２に接合したあとに、当該中台木４に穂木３を接合しているが、中台木４と穂木３を接合したあとに、当該中台木４を台木２に接合するようにしてもよい。
【００２７】
図２に示す例では、中台木４を一本接ぐ場合を一例としているが、中台木４は二本以上接ぐこともできる。この場合、二本以上の中台木４の種類は異なる品種のものを用いるのが好ましい。二本以上の中台木４の長さは同じ長さでも異なる長さでもよい。中台木４を二本以上設ける場合、すべての中台木４の維管束が、台木２の維管束又は／及び穂木３の維管束より細い必要はなく、いずれか一の中台木４の維管束が台木２の維管束又は／及び穂木３の維管束より細ければよい。二本以上の中台木４（例えば、ｎ本の中台木４）は、台木２−第一の中台木４−第二の中台木４・・・第ｎの中台木４のように下から順に接合することも、先にすべての中台木４同士及び穂木３を接合してその接合した苗木を台木２に接合することもできる。この場合、中台木４同士の接合にも図３に示す接合クリップ５を用いることができる。
【産業上の利用可能性】
【００２８】
本発明は、野菜苗や花苗、或いはこれらの生産方法として特に適するものであるが、果樹などの樹木の苗やその生産方法としても応用することができる。
【符号の説明】
【００２９】
１    接木苗
２    台木
２ａ  （台木の）子葉
２ｂ  （台木の）第一本葉
３    穂木
３ａ  （穂木の）子葉
３ｂ  （穂木の）第一本葉
４    中台木
４ａ  （中台木の）子葉
４ｂ  （中台木の）第一本葉
５    接合クリップ
６    板部
７    縦溝
Ｔ    プラグトレイ
【要約】
【課題】  プラグ苗と同等のサイズでありながら二次育苗が不要で、プラグ苗サイズのまま圃場に定植することのできる接木苗と当該接木苗の生産方法を提供する。
【解決手段】  本発明の接木苗は台木と穂木を用いた接木苗であって、台木と穂木の間に、台木の維管束又は／及び穂木の維管束よりも細い維管束を備えた中台木が接合されたものである。本発明の接木苗生産方法は接木苗を生産する方法であって、台木に、当該台木の維管束又は／及び穂木の維管束よりも細い維管束を備えた中台木を接合し、当該中台木に前記穂木を接合して接木苗を生産する方法である。台木、穂木及び中台木はプラグトレイで生育した苗から採取することができる。穂木又は／及び中台木は、花芽分化前であって本葉が１．５枚以下の苗を子葉の下で切断して採取することができる。
【選択図】図１【図１】
0005954851.tif 000002
【図２】
0005954851.tif 000003
【図３】
0005954851.tif 000004